(57)【特許請求の範囲】
【請求項１】
上面から前面にかけて空気吸込口が設けられ、下面側に空気吹出口を有し、上記空気吸込口の内面にフィルタが配置されている室内機筐体を備える空気調和機において、
上記室内機筐体内に、上記フィルタを着脱自在に支持するフィルタラックを上記室内機筐体に対して脱着可能に備え、
上記フィルタラックには、上記フィルタの一部が導入されるフィルタ移動通路と、上記フィルタ移動通路に上記フィルタを案内し、かつ、上記フィルタラックを上記室内機筐体から脱着する際につまみとして用いられるガイドリブと、上記フィルタを上記フィルタ移動通路に沿って移動させるフィルタ移動手段と、上記フィルタに付着したゴミを除去するフィルタ清掃部とが設けられていることを特徴とする空気調和機。
【請求項２】
上記ガイドリブは、上記フィルタの上記フィルタ移動通路の底面に沿って平行に形成される基端部と、上記基端部の一端から上記フィルタ移動通路の底面に対して所定角度傾斜するように配置され、上記つまみとしての把持部とを有することを特徴とする請求項１に記載の空気調和機。
【請求項３】
上記基端部の板厚に対して、上記把持部の板厚が厚く形成されていることを特徴とする請求項２に記載の空気調和機。
【請求項４】
上記把持部の先端には、手を上記把持部に引っ掛けやすくするための凸部が設けられていることを特徴とする請求項２または３に記載の空気調和機。
【請求項５】
上記基端部と上記把持部との付け根部は、上記フィルタを上記フィルタ移動通路に案内するために面取りされていることを特徴とする請求項２，３または４に記載の空気調和機。
【請求項６】
上記フィルタラックは、上記室内機筐体の前面から上面の一部にかけて配置され、上記フィルタラックは、上記室内機筐体の上面側に位置する端部を中心に回動可能に取り付けられており、上記ガイドリブは、上記フィルタラックの他端側に配置されていることを特徴とする請求項１ないし５のいずれか１項に記載の空気調和機。
【発明の詳細な説明】
【技術分野】
【０００１】
本発明は、フィルタとフィルタラックを備えた空気調和機（室内機）に関する。
【背景技術】
【０００２】
近年、空気調和機（エアコン）の室内機ユニットには、フィルタに付着したゴミを自動的に除去するフィルタ清掃機能を備えたものが普及しつつある。このフィルタ清掃機能は、筐体内に設けられたダストボックス内の清掃ブラシによりフィルタに付着したゴミを掻き取って、ダストボックス内にゴミを回収するようにしている。
【０００３】
例えば特許文献１に記載のように、通常、ダストボックスは、室内機ユニットから着脱自在に設けられており、清掃によってダストボックス内に溜まったゴミを容易に回収できるようになっている。また、同様にフィルタも取り外して清掃できるようになっている。
【０００４】
しかしながら、特許文献１のフィルタ清掃装置は、室内機筐体の上面側に配置されていたため、着脱時に手でフィルタ清掃装置を掴み上げるようにして取り外す必要があった。そのためフィルタ清掃装置の着脱が容易ではなく、その取付位置の確認も困難であった。
【先行技術文献】
【特許文献】
【０００５】
【特許文献１】特開２０１０−１７５２０６号公報
【発明の概要】
【発明が解決しようとする課題】
【０００６】
そこで、本発明は、上述した課題を解決するためになされたものであって、その目的は、フィルタ清掃ユニットの着脱を簡単に行うことができる空気調和機を提供することにある。
【課題を解決するための手段】
【０００７】
上述した目的を達成するため、本発明は、以下に示すいくつかの特徴を備えている。請求項１に記載の発明は、上面から前面にかけて空気吸込口が設けられ、下面側に空気吹出口を有し、上記空気吸込口の内面にフィルタが配置されている室内機筐体を備える空気調和機において、
上記室内機筐体内に、上記フィルタを着脱自在に支持するフィルタラックを上記室内機筐体に対して脱着可能に備え、上記フィルタラックには、上記フィルタの一部が導入されるフィルタ移動通路と、上記フィルタ移動通路に上記フィルタを案内し、かつ、上記フィルタラックを上記室内機筐体から脱着する際につまみとして用いられるガイドリブと、上記フィルタを上記フィルタ移動通路に沿って移動させるフィルタ移動手段と、上記フィルタに付着したゴミを除去するフィルタ清掃部とが設けられていることを特徴としている。
【０００９】
請求項２に記載の発明は、上記請求項１において、上記ガイドリブは、上記フィルタの上記フィルタ移動通路の底面に沿って平行に形成される基端部と、上記基端部の一端から上記フィルタ移動通路の底面に対して所定角度傾斜するように配置され、上記つまみとしての把持部とを有することを特徴としている。
【００１０】
請求項３に記載の発明は、上記請求項２において、上記基端部の板厚に対して上記把持部の板厚が厚く形成されていることを特徴としている。
【００１１】
請求項４に記載の発明は、上記請求項２または３において、上記把持部の先端には、手を上記把持部に引っ掛けやすくするための凸部が設けられていることを特徴としている。
【００１２】
請求項５に記載の発明は、上記請求項２，３または４において、上記基端部と上記把持部との付け根部は、上記フィルタを上記フィルタ移動通路に案内するために面取りされていることを特徴としている。
【００１３】
請求項６に記載の発明は、上記請求項１ないし５のいずれか１項において、上記フィルタラックは、上記室内機筐体の前面から上面の一部にかけて配置され、上記フィルタラックは、上記室内機筐体の上面側に位置する端部を中心に回動可能に取り付けられており、上記ガイドリブは、上記フィルタラックの他端側に配置されていることを特徴としている。
【発明の効果】
【００１４】
請求項１に記載の発明によれば、フィルタを着脱自在に支持するフィルタラックの一部にフィルタが導入されるフィルタ移動通路と、フィルタ移動通路にフィルタを案内するガイドリブとを設け、ガイドリブがフィルタラックを室内機筐体から脱着する際のつまみも兼ねることにより、フィルタの取付作業をスムーズに行えるばかりでなく、着脱もワンタッチで行うことができる。
【００１５】
また、フィルタをフィルタ移動通路に沿って移動させるフィルタ移動手段と、フィルタに付着したゴミを回収するフィルタ清掃部とを上記フィルタラックと一体となるように備えることにより、フィルタの自動清掃機能を備えた空気調和機にも適用することができる。
【００１６】
請求項２に記載の発明によれば、ガイドリブは、フィルタ移動通路の底面に沿って平行に形成される基端部と、基端部の一端からフィルタ移動通路の底面に対して所定角度傾斜するように配置され、つまみとしての把持部とを有することにより、基端部でフィルタをガイド溝に案内し、把持部で着脱することができる。
【００１７】
請求項３に記載の発明によれば、基端部の板厚に対して把持部の板厚が厚く形成されていることにより、指で掴みやすく、かつ、指で押しても壊れにくい。
【００１８】
請求項４に記載の発明によれば、把持部の先端には、手を上記把持部に引っ掛けやすくするための凸部が設けられていることにより、指によって摘みやすく、また指の腹をかけやすいため、着脱がより容易となる。
【００１９】
請求項５に記載の発明によれば、基端部と把持部との付け根部は、フィルタをフィルタ移動通路に案内するために面取りされているため、よりスムーズにフィルタをフィルタ移動通路に導入することができる。
【００２０】
請求項６に記載の発明によれば、フィルタラックは、室内機筐体の前面から上面の一部にかけて配置され、フィルタラックは、室内機筐体の上面側に位置する端部を中心に回動可能に取り付けられており、ガイドリブはフィルタラックの他端側に配置されていることにより、フィルタラックを着脱する際の支点から離れた位置にガイドリブが設けられているため、てこの原理によって、より小さな力でフィルタラックを取り外すことができる。
【図面の簡単な説明】
【００２１】
【図１】本発明の一実施形態に係る空気調和機の要部断面図。
【図２】上記空気調和機の上面パネルの斜視図。
【図３】上記空気調和機のフロントパネルを閉じた状態の要部断面図。
【図４】通常運転モード時の上記フロントパネルが開いた状態の要部断面図。
【図５】フィルタ清掃モード時の上記フロントパネルが開いた状態の要部断面図。
【図６】上記空気調和機のフィルタの斜視図。
【図７】上記フィルタのストッパーの部分拡大斜視図。
【図８】上記フィルタのフィルタラックの部分拡大側面図。
【図９】上記フィルタとガイドレールの相対的な構造を説明する模式図。
【図１０】上記フィルタ清掃ユニットの斜視図。
【図１１】上記フィルタ清掃ユニットのフィルタラックにダストユニットと導出ガイドを取り付けた状態の斜視図。
【図１２】上記フィルタラックの斜視図。
【図１３】導出ガイドを正面側から見た状態の斜視図。
【図１４】導出ガイドを背面側から見た状態の斜視図。
【図１５】フィルタラックのガイドレールの斜視図。
【図１６】ガイドレールとフィルタの位置関係を説明する説明図。
【図１７】（ａ），（ｂ）ガイドレールに設けられたスイッチの位置を説明する説明図。
【図１８】フィルタラックに設けられたガイドリブの拡大斜視図。
【図１９】上記ガイドリブの（ａ）平面図および（ｂ）Ａ−Ａ’線断面図。
【図２０】（ａ）上記ガイドリブの設置状態を説明する模式図、（ｂ）上記ガイドリブの設置例の変形例を説明する模式図。
【図２１】フィルタ移動通路にフィルタを挿入した状態の模式図。
【図２２】フィルタラックの回動支点とガイドリブとの位置関係を説明する模式図。
【図２３】（ａ），（ｂ）ガイドリブをつまみとして用いる場合の使用手順を説明する説明図。
【図２４】（ａ）フィルタの初期位置を示す模式図、（ｂ）フィルタを前面側に移動させた状態の模式図、（ｃ）フィルタを背面側に移動させた状態の模式図。
【発明を実施するための形態】
【００２２】
次に、本発明の実施形態について図面を参照しながら説明するが、本発明はこれに限定されるものではない。図１に示すように、この空気調和機の室内機ユニット１は、図示しない壁面に固定された背板１０ａを介して壁面に保持されるベースパネル１０を備えている。
【００２３】
図示が省略されているが、ベースパネル１０は、左右一対の側板を含み、その側板間に熱交換器２とクロスフローファン３とが左右（図１では紙面と直交する方向）に支持されている。
【００２４】
この例において、熱交換器２は、本体前側に配置される前面側熱交換器２１と、本体後側に配置される背面側熱交換器２２とをラムダ（Λ）型に組み合わせたものが用いられている。本発明において、熱交換器２とクロスフローファン３の具体的な構成は仕様に応じて任意に選択されてよい。
【００２５】
また、ベースパネル１０の下面側には、空気吹出口の上下風向板１７や左右風向板１８、ディフューザー１９などが設けられるが、本発明において、これらの構成は任意的な構成要素であって、特に限定されることはない。
【００２６】
ベースパネル１０には、熱交換器２の上面を覆う上面パネル１１と、熱交換器２の前面に配置される前面パネル１２と、上記側板に沿って配置される側面パネル（図示しない）とを備えている。各パネルは合成樹脂の成型品からなる。
【００２７】
上面パネル１１には、室内の空気を室内機ユニット１に取り込むための空気吸込グリル１３が設けられている。図２を併せて参照して、上面パネル１１は、室内機ユニット１の上面を全面にわたって覆うように形成されており、その全面にわたって桟状の空気吸込グリル１３が形成されている。
【００２８】
前面パネル１２には、運転時に開くことにより、前面側熱交換器２１の前側に空気通路を形成するオープンパネル１４が設けられている。図３を併せて参照して、オープンパネル１４は、室内機ユニット１の前面を覆うように形成される矩形状パネルからなる。
【００２９】
オープンパネル１４の背面には、オープンパネル１４を開閉させるための開閉パネル駆動手段としてのスイングアーム１４ａと、図示しない駆動モータに連結されたピニオンギア１４ｂと、オープンパネル１４の下側を支え、回動動作に併せて従動する従動アーム１４ｄを備えている。
【００３０】
スイングアーム１４ａは、一端が開閉パネル１４の背面に回動可能に取り付けられ、他端にはピニオンギア１４ｂに歯合するセクター歯車１４ｃが設けられている。スイングアーム１４ａとセクター歯車１４ｃは、開閉パネル１４の両端に設けられている。
【００３１】
本発明において、セクター歯車１４ｃは、歯車部が扇状に形成されており、ピニオンギア１４ｂとの歯合位置によって開閉パネル１４の開度が閉→半開→全開の３段階に調節可能となっている。
【００３２】
すなわち、図３に示すように、セクター歯車１４ｃの一端側がピニオンギア１４ｂに歯合している状態では、開閉パネル１４は閉状態となっている。この状態からピニオンギア１４ｂを反時計回りに所定の角度回転すると、セクター歯車１４ｃが時計方向に回転することにより、図４に示すように、スイングアーム１４ａの先端に取り付けられた開閉パネル１４が前面側に張り出すようにして開かれる。
【００３３】
ピニオンギア１４ｂをさらに反時計回りに回転させ、セクタ歯車１４ｃの他端側とピニオンギア１４ｂとを歯合させることで、図５に示すように、開閉パネル１４はさらに前面側に押し出された全開状態となる。
【００３４】
室内機ユニット１の内部には、空気吸込グリル１３に沿ってフィルタ４が設けられている。図６〜図９に示すように、フィルタ４は、格子状のフィルタフレーム４１と、フィルタフレーム４１に沿って張設されたメッシュシート４２とを有し、この例において、フィルタフレーム４１はポリプロピレンなどの樹脂で成形され、メッシュシート４２はポリエチレンテレフタレートで成形されている。
【００３５】
フィルタフレーム４１は、スライド方向（図６では上下方向）と、幅方向（図６では左右方向）に沿って外枠を含め複数本の梁を有する格子状に形成されており、それらが一体成形されている。
【００３６】
フィルタフレーム４１のスライド方向の梁には、フィルタ清掃時にフィルタ４を変形させた際に、後述する係止凸部２４４に係合することによって、フィルタ４が湾曲することにより生じる弾性復元力によってフィルタ４の後述するストッパー２５０に当接している端部がずれないようにするための、フィルタ位置ずれ防止手段としての係止孔４５が設けられている。
【００３７】
係止孔４５は、フィルタ４の厚さ方向に形成された貫通孔であって、２個一組に２箇所（合計４箇所）設けられている。係止孔４５は、フィルタ清掃時にフィルタ４を湾曲させた際に、後述する導出ガイド２４０の第２ガイド面２４３の内側に設けられた係止凸部２４４が差し込まれることによって、フィルタ４のスライド方向への動きが拘束されるようになっている。
【００３８】
これによれば、フィルタ４を湾曲させた状態で室内機筐体外に出す際、その弾性復元力によって、フィルタ４の端部がストッパー２５０から離れることが防止され、フィルタ３の端部を検知するリミットスイッチ３２０の誤作動を確実に防止することができる。
【００３９】
フィルタフレーム４１の幅方向の両端には、フィルタ４を上下方向にスライドさせる際、駆動手段に接続された図示しないギアが歯合されるラックギア４３，４３が設けられている。ラックギア４３，４３は、フィルタ４のスライド方向（図６では上下方向）に沿って連続して形成されており、フィルタフレーム４１に一体的に形成されている。
【００４０】
この例において、フィルタフレーム４１は、一方の面４１ａ（図８では下面）にラックギア４３，４３が一体形成され、他方の面４１ｂ（図８では上面）は平滑面に形成されている。これによれば、ラックギア４３，４３の形成された部分の他方の面４１ｂが筐体の内面に触れた状態でフィルタ４をスライドさせても、異音などを生じることを防止できる。
【００４１】
ラックギア４３は、その内部が中空に肉抜きされていることが好ましい。すなわち、ラックギア３３の内部が肉抜きされていることにより、フィルタ４の清掃時にフィルタ４を撓ませて変形させやすくすることができる。さらには、成形時の熱収縮による変形を抑えることができる。
【００４２】
この例において、ラックギア４３，４３はフィルタフレーム４１に一体成形されているが、ラックギア４３，４３を別体で形成しておき、フィルタフレーム４１に接着してもよい。
【００４３】
フィルタ４は、その幅方向の両端がフィルタ移動通路によって支持されることで、スライド可能となっている。この例において、フィルタ移動通路は、フィルタラック２００側に形成された第１フィルタ移動通路２１１と、後述するガイドフレーム３００の一部に形成された第２フィルタ移動通路３１０とが互いに合致することで、１つのフィルタ移動通路を形成している。図９に示すように、フィルタ４の側面には、フィルタ４を湾曲させる際に、第１フィルタ移動通路２１１にフィルタ４が干渉しないようにするための切欠部４４が設けられている。
【００４４】
切欠部４４は、フィルタフレーム４１の側面の上端側と下端側に残部４４ａを残すように形成されている。図９を併せて参照して、フィルタ４は、その幅方向の長さをＷ１、切欠部４４における幅方向の長さをＷ２、第１フィルタ移動通路２１１，２１１の間の長さをＷ３としたとき、Ｗ１＞Ｗ３＞Ｗ２となるように形成されている。
【００４５】
これによれば、フィルタ４をスライド方向に押し込んで湾曲させてゆくと、フィルタ４の切欠部４４に相当する部分が第１フィルタ移動通路２１１の間を通り抜けて外側に向かって膨出することができる。さらに、フィルタ４の湾曲時においても、残部４４ａは第１フィルタ移動通路２１１によって挟まれているため、フィルタ４が第１フィルタ移動通路２１１から抜け落ちることがないようになっている。
【００４６】
メッシュシート４２は、細かな網目状のシート材からなり、この例ではポリエチレンテレフタレートで成形されている。メッシュシート４２は、空気中の比較的粗い埃が室内機ユニット１内に入り込まないようなメッシュであれば、その形状や材質などは任意に選択されてよく、抗菌材や防かび材などが配合されていてもよい。
【００４７】
また、この例において、メッシュシート４２は、フィルタフレーム４１とヒートシールにより成形されているが、フィルタフレーム４１とメッシュシート４２とを一体成形してもよく、メッシュシート４２の形状も仕様に応じて任意に選択できる。
【００４８】
室内機ユニット１の内部にはさらに、フィルタ４を清掃するためのフィルタ清掃ユニット５が設けられている。図１０および図１１を併せて参照して、フィルタ清掃ユニット５は、フィルタ４に付着したゴミを回収するダストボックス１００と、ダストボックス１００およびフィルタ４を着脱可能に保持するとともに、それ自体が室内機ユニット１から着脱自在に設けられたフィルタラック２００と、フィルタ４を湾曲させた際に正しい方向にフィルタ４を室内機筐体１外に出す導出ガイド２４０と、フィルタラック２００を室内機ユニット１に支持するとともに、フィルタ４のスライドを案内するガイドフレーム３００とを備えている。
【００４９】
この例において、ダストボックス１００およびフィルタラック２００は、室内機ユニット１の横方向に並んだ状態でそれぞれ設けられている。各々のダストボックス１００とフィルタラック２００とはともに同一構成であるため、以下、一方のみを説明する。
【００５０】
図１を併せて参照して、ダストボックス１００は、フィルタ４の一方の面（図１では風上側）を清掃する上部ダストボックス１１０と、フィルタ４の他方の面（図１では風下側）を清掃する下部ダストボックス１２０とを有し、それらがフィルタ４を挟んで対向するように配置されている。
【００５１】
上部ダストボックス１１０の内部には、フィルタに付着したゴミを清掃する清掃ブラシ１１１と、清掃ブラシ１１１によって回収されたゴミを貯留しておくゴミ貯留部１１２とが設けられている。
【００５２】
この例において、清掃ブラシ１１１は、図示しない回動手段を介して回動自在に設けられており、フィルタ４を反前面側（図１では１０ａ側）にスライドさせたときのみに清掃ブラシ１１１をフィルタ４に接触させ、前面側（図１ではオープンパネル１４側）に移動する際は、清掃ブラシ１１１はフィルタ４に非接触となるようになっている。
【００５３】
下部ダストボックス１２０は、フィルタ４の下面に沿って配置されており、フィルタ４を上部ダストボックス１１０の清掃ブラシ１１１に接触させた際、フィルタ４が撓まないようにするためのフィルタ受けの働きをするとともに、フィルタ４の裏にこぼれた埃を回収する。
【００５４】
本発明において、ダストボックス１００の具体的な構成は任意的事項であってよく、その構成は、仕様に応じて任意に変更されてよい。
【００５５】
ダストボックス１００とフィルタラック２００とを組み合わせた状態の図１１、および、フィルタラック２００単体の状態である図１２を参照して、フィルタラック２００は、フィルタ４の幅とほぼ同じ間隔で配置される左右一対のサイドフレーム２１０，２１０と、サイドフレーム２１０，２１０の間に所定の間隔をもって水平に架け渡される例えば２本の補強フレーム２２０と、サイドフレーム２１０，２１０の間に所定間隔をもって垂直方向に配置される例えば２本のガイドフレーム２３０とを備えている。
【００５６】
サイドフレーム２１０，２１０は、前面側熱交換器２１の前面を覆うように取り付けられるくの字状に形成されており、内側のフィルタ４がスライド可能に移動する第１フィルタ移動通路２１１，２１１が形成されている。
【００５７】
第１フィルタ移動通路２１１，２１１は、フィルタラック２００をガイドフレーム３００に取り付けることにより、後述するガイドフレーム３００の一部に形成されたフィルタ移動通路３１０と連通されるようになっている。
【００５８】
サイドフレーム２１０の前面側（図１２では手前側）には、フィルタ導出部２１２，２１２が設けられている。フィルタ導出部２１２，２１２は、フィルタ４を撓ませた際に、その湾曲部の導出の始端と終端を規定するために設けられた案内部であり、図９にて説明したように、フィルタ４を挟んで向かい合う間隔がＷ３となるように形成されている。
【００５９】
フィルタ導出部２１２，２１２の開口縁の両端には、フィルタ４の導出をスムーズにするためのガイド板２１３ａ，２１３ｂが設けられている。ガイド板２１３ａ，２１３ｂは、第１フィルタ移動通路２１１の側面から内側に向かって張り出すように突出しており、その縁はフィルタ４が引っ掛からないよう湾曲されている。
【００６０】
サイドフレーム２１０の内部には、フィルタ４のラックギア４３に歯合される送りギア２１４が設けられている。送りギア２１４は図示しない駆動モータに接続され、その一部が第１フィルタ移動通路２１１内に露出している。フィルタ４は、平滑部が風上側で、ラックギア４３の形成された側が風下となるように配置されている。第１フィルタ移動通路２１１の内部でフィルタ４のラックギア４３に歯合するようになっている。
【００６１】
フィルタラック２００にはさらに、フィルタ４を湾曲させた際に正しい方向にフィルタ４がフィルタ移動通路２１１外に出るようにガイドする導出ガイド２４０が設けられている。図１３および図１４を参照して、導出ガイド２４０は、フィルタラック２００の一端側に回動自在に取り付けられる回動アーム２４１，２４１を有するアーチ状に形成されている。
【００６２】
導出ガイド２４０には、フィルタ４を垂直状態に保持する第１ガイド面２４２と、一端が第１ガイド面２４２の上端に接続され、他端が室内機ユニット１の前面側に向かって傾斜された第２ガイド面２４３とを備えている。
【００６３】
図１１ないし１４を併せて参照して、導出ガイド２４０は、フィルタラック２００に回動軸２４１ａを介して回動可能に軸支されているが、フィルタラック２００に固定された状態（図１１の状態）において、第１ガイド面２４２は、フィルタ４を室内機ユニット１の前面に沿ってほぼ垂直となった状態で支持するようになっている。
【００６４】
第２ガイド面２４３は、第１ガイド面２４２の上端から斜め上方向に向かって延設されており、フィルタ清掃時に第２ガイド面２４３に沿って湾曲されたフィルタ４が案内されることで、後述するフィルタ４の変形部４ａが斜め上方に導出されるようになっている。
【００６５】
第２ガイド面２４３の内側の上端（図１４参照）には、上述したフィルタ４の係止孔４５に差し込まれる係止凸部２４４が２箇所設けられている。係止凸部２４４は、第２ガイド面２４３から室内機ユニット１側に向けて延設された凸リブからなり、その先端はフィルタ４の係止孔４５に入りやすいよう面取りされている。
【００６６】
導出ガイド２４０は、フィルタラック２００を室内機ユニット１から取り外す際のリリースレバーとしての役割も兼ねている。導出ガイド２４０は、フィルタラック２００の図示しない軸受孔に回動軸２４１ａが軸支されることで、フィルタラック２００に対して、その下端側が開閉可能に取り付けられている。
【００６７】
この例において、回動軸２４１ａには、コイルバネ（図示しない）が設けられており、コイルバネを介して導出ガイド２４０が常に開く方向にバネ付勢されている。
【００６８】
導出ガイド２４０には、導出ガイド２４０をフィルタラック２００に閉じた状態で固定するためのスライド式の係止爪およびその駆動機構（ともに図示しない）が設けられている。本発明において、係止爪およびその駆動機構は任意的事項であるため、その具体的な説明は省略する。
【００６９】
フィルタラック２００の下端側には、フィルタ４の下端を当接させてフィルタ４の移動を規制するストッパー２５０が設けられている。図１および図１７を併せて参照して、ストッパー２５０は、フィルタラック２００下端に沿って後述するフィルタガイド３００，３００の間に架け渡されており、その一部にフィルタ４の下端が当接することで、フィルタ４がストッパー２５０より下にスライドしないようになっている。
【００７０】
次に、図１５〜図１７を参照して、ガイドフレーム３００は、室内機ユニット１の前面から上面にかけて配置されるＬ字状に形成されている。ガイドフレーム３００には、フィルタ４が案内される第２フィルタ移動通路３１０が設けられている。
【００７１】
第２フィルタ移動通路３１０は、ガイドフレーム３００の側面３０１からほぼ水平に延設され、フィルタ４のラックギア４３の下面を支持する底壁３１１と、底壁３１１の一端からほぼ直角に折り曲げられ、側面３０１と平行な側壁３１２とを有する断面Ｌ字状に形成されている。
【００７２】
これによれば、フィルタ４はラックギア４３の側面が側壁３１２によって支持されるため、スライド時にフィルタ４が歪んだりして、移動が妨げられるのを防止することができる。
【００７３】
図１５に示されたガイドフレーム３００は、室内機ユニット１の中央に配置されるため、両側面でフィルタ４，４を支持するために第２フィルタ移動通路３１０がガイドフレーム３００の両面に形成されているが、室内機ユニット１の両端側に配置されるガイドフレーム３００には、一方のフィルタ４の配置される方向の側面にのみ配置されている。
【００７４】
底壁３１１の上面には、上面パネル１１が取り付けられ、これにより、第２フィルタ移動通路３１０が形成されるようになっている。ここで、第２フィルタ移動通路３１０の一端側は、上述した第１フィルタ移動通路２１１の一方の出口にフィルタ清掃ユニット５を介して連通するように形成されており、フィルタラック２００の第１フィルタ移動通路２１１からスムーズにフィルタガイド３００の第２フィルタ移動通路３１０に案内されるようになっている。
【００７５】
第２フィルタ移動通路３１０の他端側は、室内機ユニット１のベースパネル１０と背面側熱交換器２２との間に向けて開放されており、その間の空間にフィルタ４を導入できるようになっている。
【００７６】
ガイドフレーム３００の下側面には、フィルタ４の下端位置を検知するフィルタ検知部３２０が設けられている。図１７に示すように、フィルタ検知部３２０は、ガイドフレームの側面から外側に向けて可動可能に突設されたリミットスイッチ３２１と、リミットスイッチ３２１に向けてフィルタ４の下端を案内するガイド部３２２とを備えている。  
【００７７】
リミットスイッチ３２１は、一端側が回動自在に連結され、自由端側がガイドフレーム３００の底部側から上部側に向かって回動するように配置されている。これによれば、フィルタ４の側面でリミットスイッチ３２１を押圧するようになるため、検出エラーを少なくすることができる。さらには、ラック面で押圧する場合よりも音の発生を抑えられる。
【００７８】
ガイド部３２２は、リミットスイッチ３２１を囲むように設けられており、その一部には、フィルタ４の下端が案内されるガイド溝３２３が設けられている。ガイド溝３２３は、上述した第１フィルタ移動通路２１１の出口に連通するように形成されている。
【００７９】
この例において、フィルタ検知部３２０は、１枚のフィルタ４に対して１箇所設けられいるが、例えばフィルタ４の両端を検知するようにそれぞれ２箇所設けられていてもよい。
【００８０】
次に図１８〜図２３を参照して、フィルタラック２００には、フィルタラック２００にフィルタ４を取り付ける際、フィルタ移動通路２１１にフィルタ４を安全に挿入するためのガイドリブ４００が設けられている。
【００８１】
ガイドリブ４００は、フィルタ移動通路２１１の開放端に設けられており、フィルタラック２００の幅方向の両端下部に設けられている。フィルタ移動通路２１１には、フィルタラック２００にフィルタ４を取り付ける際、フィルタ４に設けられたラックギア４３が収納されるガイド溝２６０，２６０が設けられている。
【００８２】
ガイド溝２６０，２６０は、ラックギア４３を収納するため、フィルタ移動通路２１１からさらに一段凹んで形成されており、フィルタラック２００の前端から後端に沿って形成されている。ガイド溝２６０，２６０の入口側２６１は、フィルタ４のラックギア４３がガイド溝２６０，２６０内に入りやすいようにテーパー状に広げられている。
【００８３】
図１８，１９に示すように、ガイドリブ４００は、フィルタラック２００の側壁２００ａから立設し、ガイド溝２６０の底面に沿って平行に形成された基端部４１０と、同基端部４１０のガイド溝２６０の入口側２６１からガイド溝２６０の底面に対してほぼ直角に立設される把持部４２０とを有し、ガイド溝２６０の入口側２６１に隣接して設けられている。
【００８４】
基端部４１０は、フィルタ移動通路２１１およびガイド溝２６０から所定の間隔をもって平行に配置されており、フィルタ移動通路２１１およびガイド溝２６０の上面側の一部を塞ぐように配置されている。
【００８５】
この例において、把持部４２０は、図２０（ａ）に示すように、フィルタラック２００に対してほぼ直角に形成されているが、図２０（ｂ）に示すように、９０°以下の位置となるように配置されていてもよく、その角度は仕様に応じて任意に変更可能である。
【００８６】
基端部４１０と把持部４２０の付け根部４３０のフィルタ移動通路２１１に対向する面は、フィルタ４を挿入する際に、挿入をスムーズにするために円弧状または面取りに形成されている。この例において、付け根部４３０は円弧状に形成されているが、挿入をスムーズにすることができる方法であれば、例えばローラなどが取り付けられていてもよい。
【００８７】
把持部４２０は、その板厚が基端部４１０の板厚よりも厚く形成されている。図１９（ｂ）において、把持部４２０の板厚は、付け根部４３０側から徐々に厚くなり、基端部４１０の板厚よりも２倍程度厚く形成されており、これによれば、把持部４２０に適度な厚みがあり、手で摘みやすく、さらには強度も高くなる。
【００８８】
把持部４２０の先端には、把持部４２０を指で摘んだ際に、指が引っ掛かりやすくするための凸部４２１が設けられている。この例において、凸部４２１は、把持部４２０の先端にキノコ状に形成されているが、これ以外の形状であってもよく、滑り止めとしてローレット目地が形成されてもよい。
【００８９】
図２１を参照して、フィルタラック２００にフィルタ４を取り付けるに当たっては、まず、フィルタ４の先端をガイド溝２６０と基端部４１０との間のフィルタ移動通路２１１に差し込み、そのまま他端側に向かってスライドさせるだけでよい。
【００９０】
これによれば、フィルタ４１のラックギア４３は自動的にガイド溝２６０の内部に押し込まれてゆき、図示しないギアに歯合される。その際、ガイドリブ４００の付け根部４３０がフィルタ４の内面に沿って摺接するため、異音などを発生させることなく、スムーズに取り付けることができる。
【００９１】
図１および図２２に示すように、ダストボックス１００を保持したフィルタラック２００は、フィルタ清掃ユニット端部１３０で室内機筐体１の前面側（図１では左側）で、フィルタガイド３００に配置されており、フィルタ清掃ユニット端部１３０の支点Ｓを中心に回動可能に着脱されるようになっている。
【００９２】
さらに、上述したガイドリブ４００は、フィルタラック２００を挟んで支点Ｓと対称となる位置に配置されている。これによれば、把持部４２０を指で摘んでフィルタラック２００を取り外す際に、てこの原理によって、より小さな力でフィルタラック２００を取り外すことができる。
【００９３】
フィルタラック２００を室内機筐体１から取り外すに当たっては、導出ガイド２４０を開放すると現れるガイドリブ４００の把持部４２０を、図２３（ａ）に示すように、指で摘んで手前側に引っ張る方法と、図２３（ｂ）に示すように、把持部４２０の下面を指の腹で下から上に押し上げる方法の二通りの方法があり、いずれの方法でもフィルタラック２００をワンタッチで取り外すことができる。フィルタラック２００を外すと、フィルタラック２００に取り付けられたダストボックス１００とフィルタ４も同時に室内機筐体１から取り外すことができる。
【００９４】
次に、図２４を参照して、本発明の空気調和機のフィルタ清掃手順の一例について説明する。フィルタ清掃の手順を説明するに先立ち、この例では、フィルタ４をストッパ２５０に向けて移動させる方向を「往方向」とし、フィルタ４を室内機ユニット１の背面側に移動させる方向を「復方向」として説明する。
【００９５】
フィルタ清掃が開始されると、図示しない制御部は、まずフィルタ清掃ユニット５を初期化する。初期化は、フィルタ４の先端がストッパー２５０に当接しているかどうかをリミットスイッチ３２１によって確認し、さらに、ダストボックス１００内の清掃ブラシ１１１がフィルタ４に対して非接触に配置されているかどうかを確認する（図２４（ａ）参照）。
【００９６】
また、制御部は、オープンパネル１４の駆動手段に全開指令を出し、これを受けて、図示しない駆動モータを介してスイングアーム１４ａが回動して、オープンパネル１４が全開状態となる。
【００９７】
オープンパネル１４を全開状態としたのち、制御部は、フィルタ清掃を開始する。制御部は、まず、フィルタ送り方向に図示しない駆動手段を駆動してフィルタ４を送り出すが、この例において、清掃ブラシ１１１はフィルタ戻り方向に移動させたときのみ、ブラシをフィルタ４に接触させるようになっている。
【００９８】
制御部は、フィルタ４に付着したゴミをまんべんなく除去するため、フィルタ４を１回に所定の長さずつ（この例では最少移動量６０ｍｍ〜最大移動量１３０ｍｍ）送り出し、フィルタ戻り方向に同じ長さずつ戻す往復動作を複数ステップに分けて行うことで、清掃ブラシ１１１に付着したゴミをこまめにダストボックス１１０内に移すようにしている。
【００９９】
フィルタ４の一端がストッパー２５０に突き当たった状態で、制御部はフィルタ送り方向にフィルタ４を移動させる。これにより、フィルタ４は、その一部が撓んで変形し、その変形部４ａが室内機ユニット１とオープンパネル１４の前面に形成された空間に導き出される。
【０１００】
図２４（ｂ）に示すように、ダストボックス１００にフィルタ４の後端まで移動すると、フィルタ変形部４ａの変形量は最大値となり、フィルタ変形部４ａは、室内機ユニット１の前面とオープンパネル１４の背面との間に形成された空間に出される。
【０１０１】
その際、フィルタ４は導出ガイド２４０の第２ガイド面２４２によって斜め上方向に向けて出されるよう案内される。これによれば、室内機ユニット１の前面とオープンパネル１４の背面との間に斜め上方向に向かってフィルタ変形部４ａが出されるため、オープンパネル１４に接触するなどしてオープンパネル１４の開閉に支障を来すことを防止できる。
【０１０２】
逆に、フィルタ４の先端側（突き当て側）がダストボックス１００によって清掃される際は、図２４（ｃ）に示すように、フィルタ４の後端側は、室内機ユニット１の背面側に形成された空間に導き入れられる。
【０１０３】
以上、一連の清掃工程が終了すると、制御部は、再びリミットスイッチ３２１が作動する状態までフィルタ４を戻したのち、待機状態となる。なお、この実施形態において、フィルタ４やフィルタラック２００の脱着方法、並びに、脱着時のフィルタ４の初期化などについては、任意であってよいため、その説明は省略する。
【符号の説明】
【０１０４】
１  空気調和機（室内機ユニット）
１４  オープンパネル
２  熱交換器
３  クロスフローファン
４  フィルタ
４１  フィルタフレーム
４２  メッシュシート
４３  ラックギア
４４  切欠部
４５  係止孔
５  フィルタ清掃ユニット
１００  ダストボックス
２００  フィルタラック
２６０  ガイド溝
３００  フィルタガイド
４００  ガイドリブ
４１０  基端部
４２０  把持部
【図１】
0005423995.tif 000002
【図２】
0005423995.tif 000003
【図３】
0005423995.tif 000004
【図４】
0005423995.tif 000005
【図５】
0005423995.tif 000006
【図６】
0005423995.tif 000007
【図７】
0005423995.tif 000008
【図８】
0005423995.tif 000009
【図９】
0005423995.tif 000010
【図１０】
0005423995.tif 000011
【図１１】
0005423995.tif 000012
【図１２】
0005423995.tif 000013
【図１３】
0005423995.tif 000014
【図１４】
0005423995.tif 000015
【図１５】
0005423995.tif 000016
【図１６】
0005423995.tif 000017
【図１７】
0005423995.tif 000018
【図１８】
0005423995.tif 000019
【図１９】
0005423995.tif 000020
【図２０】
0005423995.tif 000021
【図２１】
0005423995.tif 000022
【図２２】
0005423995.tif 000023
【図２３】
0005423995.tif 000024
【図２４】
0005423995.tif 000025